(57)【要約】【課題】蓄電装置が用いられる携帯電話やＰＤＡ等の電子機器が衣服の中或いは収納用ケースの中など光線が遮られる状況下に頻繁に置かれるようなことがあっても電気エネルギーを確保する。【解決手段】導電性を有する導電性筐体１００と、導電性筐体１００の内壁に設けられた絶縁膜１０１と、導電性筐体１００の内部に設けられた蓄電池１０２と、蓄電池１０２の＋電極１０３および−電極１０４と導電性筐体１００とを電気的に接続する配線１０５、１０６とを備え、導電性筐体１００の外部にある帯電物１０７に蓄積されている電荷が導電性筐体１００から配線１０５、１０６を通して蓄電池１０２の＋極１０３及び−極１０４に流れるようにして蓄電池１０２を充電する。【選択図】  図１
2006081298.tif 000002
【特許請求の範囲】
【請求項１】
内壁に絶縁膜が設けられた導電性筐体と、前記導電性筐体の内部に設けられた蓄電池と、前記蓄電池の＋電極および−電極と前記導電性筐体とを電気的に接続する配線とを備える蓄電装置。
【請求項２】
内壁に絶縁膜が設けられた導電性筐体と、前記導電性筐体の内部に設けられた蓄電池と、前記導電性筐体から前記蓄電池の＋電極に向かう方向を順方向として前記蓄電池の＋電極と前記導電性筐体との間に接続されたダイオードとを備える蓄電装置。
【請求項３】
内壁に絶縁膜が設けられた導電性筐体と、前記導電性筐体の内部に設けられた蓄電池と、前記蓄電池の−電極から前記導電性筐体に向かう方向を順方向として前記蓄電池の−電極と前記導電性筐体との間に接続されたダイオードとを備える蓄電装置。
【請求項４】
内壁に絶縁膜が設けられた導電性筐体と、前記導電性筐体の内部に設けられた蓄電池と、前記導電性筐体から前記蓄電池の＋電極に向かう方向を順方向として前記蓄電池の＋電極と前記導電性筐体との間に接続されたダイオードと、前記蓄電池の−電極から前記導電性筐体に向かう方向を順方向として前記蓄電池の−電極と前記導電性筐体との間に接続されたダイオードとを備える蓄電装置。
【請求項５】
内壁に絶縁膜が設けられた導電性筐体と、前記導電性筐体の内部に設けられた蓄電池と、前記導電性筐体から前記蓄電池の＋電極に向かう方向を順方向として前記蓄電池の＋電極と前記導電性筐体との間に接続された第1のダイオードと、前記蓄電池の−電極から前記導電性筐体に向かう方向を順方向として前記蓄電池の−電極と前記導電性筐体との間に接続された第2のダイオードと、前記第１のダイオードのカソード電極と前記第２のダイオードのアノード電極との間に接続されたコンデンサと、前記蓄電池の＋電極と前記第１のダイオードのカソード電極との間に接続された抵抗と、前記蓄電池の−電極と前記第２のダイオードのアノード電極との間に接続された抵抗とを備える蓄電装置。
【発明の詳細な説明】
【技術分野】
【０００１】
本発明は、携帯電話やＰＤＡ(Personal Digital Assistant)等の携帯用の電子機器に用いて好適な蓄電装置に関する。
【背景技術】
【０００２】
図６は、従来の蓄電装置の外観を示す斜視図である。この図において、光源６００から発せられた光線Ｌは、ソーラーパネル６０１で電気エネルギーに変換されて、蓄電池（２次電池）６０２の＋極６０３及び蓄電池６０４の−極６０４を通して、蓄電池６０２に蓄積される。
【発明の開示】
【発明が解決しようとする課題】
【０００３】
しかしながら、従来の蓄電装置においては、ソーラーパネル６０１を用いて充電を行うようにしているので、光源６００から発せられた光線Ｌが遮られる状況下では電気エネルギーの発生・蓄電ができなくなり、この蓄電装置を用いている電子機器が使用不能となる問題がある。特に、携帯電話やＰＤＡ等の携帯用の電子機器においては、衣服の中或いは収納用ケースに入れて持ち運ばれる場合が多く、電気エネルギーの発生・蓄電が不可能となる頻繁に発生する。
【０００４】
本発明は、蓄電装置が用いられる携帯電話やＰＤＡ等の電子機器が衣服の中或いは収納用ケースの中など光線が遮られる状況下に頻繁に置かれるようなことがあっても電気エネルギーを確保することができる蓄電装置を提供することを目的とする。
【課題を解決するための手段】
【０００５】
本発明の蓄電装置は、内壁に絶縁膜が設けられた導電性筐体と、前記導電性筐体の内部に設けられた蓄電池と、前記蓄電池の＋電極および−電極と前記導電性筐体とを電気的に接続する配線とを備える。この構成により、導電性筐体の外部にある帯電物に蓄積されている電荷が導電性筐体から配線を通して蓄電池の＋極及び−極に流れて蓄電池への充電が行われる。
【０００６】
また、本発明の蓄電装置は、内壁に絶縁膜が設けられた導電性筐体と、前記導電性筐体の内部に設けられた蓄電池と、前記導電性筐体から前記蓄電池の＋電極に向かう方向を順方向として前記蓄電池の＋電極と前記導電性筐体との間に接続されたダイオードとを備える。この構成により、導電性筐体の外部にある帯電物に蓄積されている＋電荷が導電性筐体からダイオードを通して蓄電池の＋極に流れて蓄電池への充電が行われる。
【０００７】
また、本発明の蓄電装置は、内壁に絶縁膜が設けられた導電性筐体と、前記導電性筐体の内部に設けられた蓄電池と、前記蓄電池の−電極から前記導電性筐体に向かう方向を順方向として前記蓄電池の−電極と前記導電性筐体との間に接続されたダイオードとを備える。この構成により、導電性筐体の外部にある帯電物に蓄積されている−電荷が導電性筐体からダイオードを通して蓄電池の−極に流れて蓄電池への充電が行われる。
【０００８】
また、本発明の蓄電装置は、内壁に絶縁膜が設けられた導電性筐体と、前記導電性筐体の内部に設けられた蓄電池と、前記導電性筐体から前記蓄電池の＋電極に向かう方向を順方向として前記蓄電池の＋電極と前記導電性筐体との間に接続されたダイオードと、前記蓄電池の−電極から前記導電性筐体に向かう方向を順方向として前記蓄電池の−電極と前記導電性筐体との間に接続されたダイオードとを備える。この構成により、導電性筐体の外部にある帯電物に蓄積されている電荷が＋電荷の場合、その＋電荷が導電性筐体からダイオードを通して蓄電池の＋極に流れ、導電性筐体の外部にある帯電物に蓄積されている電荷が−電荷の場合、その−電荷が導電性筐体からダイオードを通して蓄電池の−極に流れて蓄電池への充電が行われる。
【０００９】
また、本発明の蓄電装置は、内壁に絶縁膜が設けられた導電性筐体と、前記導電性筐体の内部に設けられた蓄電池と、前記導電性筐体から前記蓄電池の＋電極に向かう方向を順方向として前記蓄電池の＋電極と前記導電性筐体との間に接続された第１のダイオードと、前記蓄電池の−電極から前記導電性筐体に向かう方向を順方向として前記蓄電池の−電極と前記導電性筐体との間に接続された第２のダイオードと、前記第１のダイオードのカソード電極と前記第２のダイオードのアノード電極との間に接続されたコンデンサと、前記蓄電池の＋電極と前記第１のダイオードのカソード電極との間に接続された第１の抵抗と、前記蓄電池の−電極と前記第２のダイオードのアノード電極との間に接続された第２の抵抗とを備える。この構成により、導電性筐体の外部にある帯電物に蓄積されている電荷が高電圧サージ性の＋電荷の場合、導電性筐体から第１のダイオードを通してコンデンサに一時的に蓄積させた後、第１の抵抗を通して蓄電池の＋極に流れ、導電性筐体の外部にある帯電物に蓄積されている電荷が高電圧サージ性の−電荷の場合、導電性筐体から第２のダイオードを通してコンデンサに一時的に蓄積させた後、第２の抵抗を通して蓄電池の−極に流れて蓄電池への充電が行われる。
【発明の効果】
【００１０】
本発明の蓄電装置は、外部で発生した静電気を電力供給元としているため、常に電気エネルギーを蓄積できる。
【発明を実施するための最良の形態】
【００１１】
（実施の形態１）
図１は、本発明の実施の形態１に係る蓄電装置の概略構成を示すブロック図である。この図において、本実施の形態の蓄電装置は、導電性を有する導電性筐体１００と、導電性筐体１００の内壁に設けられた絶縁膜１０１と、導電性筐体１００の内部に設けられた蓄電池１０２と、蓄電池１０２の＋電極１０３と−電極１０４夫々と導電性筐体１００とを電気的に接続する２つの配線１０５、１０６とを備えて構成される。
【００１２】
このような構成において、導電性筐体１００を外部にある帯電物１０７に接触させると、帯電物１０７に蓄積されている電荷Ｑが導電性筐体１００から２本の配線１０５、１０６を通して蓄電池１０２の＋極１０３及び−極１０４に流れ、これにより蓄電池１０２が充電される。すなわち、本装置が用いられる携帯電話やＰＤＡ等の電子機器を衣服の中或いは収納用ケースの中などに置くだけで、衣服の中或いは収納用ケースに帯電している電荷によって蓄電池１０２への電気エネルギーの蓄電が行われる。
【００１３】
このように本実施の形態の蓄電装置によれば、外部で発生した静電気を電力供給元としてその静電気を取り入れる構成を採るので、衣服の中或いは収納用ケースに入れて持ち運ばれる機会が多い携帯電話やＰＤＡ等の携帯用の電子機器に用いても、蓄電池１０２の充電のための電気エネルギーを確保することができる。
【００１４】
（実施の形態２）
図２は、本発明の実施の形態２に係る蓄電装置の概略構成を示すブロック図である。なお、この図において上述した実施の形態１に係る蓄電装置と共通する部分には同じ符号を付ける。本実施の形態の蓄電装置は、蓄電対象を＋電荷Ｑとしたものであり、図２に示すように、導電性筐体１００から蓄電池１０２の＋電極１０３に向かう方向を順方向として、蓄電池１０２の＋電極１０３と導電性筐体１００との間にダイオード２００を介挿している。
【００１５】
このような構成において、導電性筐体１００を外部にある＋に帯電した帯電物２０２に接触させると、帯電物２０２に蓄積されている＋電荷Ｑが導電性筐体１００からダイオード２００を通して蓄電池１０２の＋極１０３に流れ、これにより蓄電池１０２に蓄積される。
【００１６】
このように本実施の形態の蓄電装置によれば、帯電物２０２で発生した＋電荷Ｑを電力供給元としているため、常に電気エネルギーを蓄積できる。また、＋電荷Ｑを蓄電池１０２の＋極１０３のみから蓄電池１０２に供給するので、蓄電池１０２の−極１０４との短絡が生じない。
【００１７】
（実施の形態３）
図３は、本発明の実施の形態３に係る蓄電装置の概略構成を示すブロック図である。なお、この図において上述した実施の形態１に係る蓄電装置と共通する部分には同じ符号を付ける。本実施の形態の蓄電装置は、蓄電対象を−電荷Ｑとしたものであり、蓄電池１０２の−電極１０４から導電性筐体１００に向かう方向を順方向として、蓄電池１０２の−電極１０４と導電性筐体１００との間にダイオード３００を介挿している。
【００１８】
このような構成において、導電性筐体１００を外部にある−に帯電した帯電物３０２に接触させると、帯電物３０２に蓄積されている−電荷Ｑが導電性筐体１００からダイオード３００を通して蓄電池１０４の−極１０４に流れ、これにより蓄電池１０２に蓄積される。
【００１９】
このように本実施の形態の蓄電装置によれば、帯電物３０２で発生した−電荷Ｑを電力供給元としているため、常に電気エネルギーを蓄積できる。また、−電荷Ｑを蓄電池１０２の−極１０４のみから蓄電池１０２に供給するので、蓄電池１０２の＋極１０３との短絡が生じない。
【００２０】
（実施の形態４）
図４は、本発明の実施の形態４に係る蓄電装置の概略構成を示すブロック図である。なお、この図において上述した実施の形態１〜実施の形態３夫々に係る蓄電装置と共通する部分には同じ符号を付ける。本実施の形態の蓄電装置は、蓄電対象を−電荷Ｑと＋電荷Ｑとしたものであり、導電性筐体１００から蓄電池１０２の＋電極１０３に向かう方向を順方向として、蓄電池１０２の＋電極１０３と導電性筐体１００との間にダイオード２００を介挿するとともに、蓄電池１０２の−電極１０４から導電性筐体１００に向かう方向を順方向として、蓄電池１０２の−電極１０４と導電性筐体１００との間にダイオード３００を介挿している。
【００２１】
このような構成において、導電性筐体１００の外部にある帯電物４００に蓄積されている電荷が＋電荷Ｑの場合は、導電性筐体１００から＋電荷用のダイオード２００を通して蓄電池１０２の＋極１０３に流れ、蓄積される。これに対して、導電性筐体１００の外部にある帯電物４００に蓄積されている電荷が−電荷Ｑの場合は、導電性筐体１００から−電荷用のダイオード３００を通して蓄電池１０２の−極１０４に流れ、蓄積される。帯電物４００に蓄積されている電荷Ｑが＋と−のいずれであっても蓄電池１０２に蓄積される。
【００２２】
このように本実施の形態の蓄電装置によれば、帯電物４００で発生した−電荷Ｑ又は＋電荷Ｑを電力供給元としているため、常に電気エネルギーを蓄積できるという効果を得ることができる。また、電荷が＋電荷Ｑの場合、蓄電池１０２の＋極１０３のみから蓄電池１０２に供給するので、蓄電池１０２の−極１０４との短絡が生じない。また、電荷が−電荷Ｑの場合、蓄電池１０２の−極１０４のみから蓄電池１０２に供給するので、蓄電池１０２の＋極１０３との短絡が生じない。
【００２３】
（実施の形態５）
図５は、本発明の実施の形態５に係る蓄電装置の概略構成を示すブロック図である。なお、この図において上述した実施の形態１〜実施の形態４夫々に係る蓄電装置と共通する部分には同じ符号を付ける。本実施の形態の蓄電装置は、蓄電対象を−電荷Ｑと＋電荷Ｑとし、高電圧のサージ性の電荷が直接蓄電池１０２に流れるのを防止するようにしたものであり、ダイオード（第１のダイオード）２００のカソード電極とダイオード（第２のダイオード）３００のアノード電極との間に介挿したコンデンサ５００と、蓄電池１０２の＋電極とダイオード２００のカソード電極との間に介挿した抵抗（第１の抵抗）５０１と、蓄電池１０２の−電極とダイオード３００のアノード電極との間に介挿した抵抗（第２の抵抗）５０２とを備えている。
【００２４】
このような構成において、導電性筐体１０１の外部にある帯電物４００に蓄積されている電荷が高電圧サージ性の＋電荷Ｑの場合、導電性筐体１０１からダイオード２００を通してコンデンサ５００に一時的に蓄積され、その後、抵抗５０１を通して蓄電池１０２の＋極１０３に流れ、蓄積される。一方、導電性筐体１００の外部にある帯電物４００に蓄積されている電荷が高電圧サージ性の−電荷Ｑの場合、導電性筐体１０１からダイオード３００を通してコンデンサ５００に一時的に蓄積され、その後、抵抗５０２を通して蓄電池１０２の−極１０４に流れ、蓄積される。
【００２５】
このように本実施の形態の蓄電装置によれば、帯電物４０３で発生した電荷Ｑを電力供給元としているため、常に電気エネルギーを蓄積することができる。また、電荷Ｑが＋電荷の場合、蓄電池１０２の＋極１０３のみから蓄電池１０２に供給するので、蓄電池１０２の−極１０４との短絡が生じない。また、電荷Ｑが−電荷の場合、蓄電池１０２の−極１０４のみから蓄電池１０２に供給するので、蓄電池１０２の＋極１０３との短絡が生じない。また、電荷Ｑが高電圧のサージ性電荷である場合には、直接、蓄電池１０２に流れるのを防止し、一時的にコンデンサ５００に蓄積させた後、微電流で蓄電池１０２に流して蓄積させる。
【産業上の利用可能性】
【００２６】
本発明の蓄電装置は、外部で発生した静電気を電力供給元としているため、常に電気エネルギーを蓄積できるという効果を有し、携帯電話やＰＤＡ(Personal Digital Assistant)等の携帯用の電子機器に用いて好適な蓄電装置等として有用である。
【図面の簡単な説明】
【００２７】
【図１】本発明の実施の形態１に係る蓄電装置の概略構成を示すブロック図
【図２】本発明の実施の形態２に係る蓄電装置の概略構成を示すブロック図
【図３】本発明の実施の形態３に係る蓄電装置の概略構成を示すブロック図
【図４】本発明の実施の形態４に係る蓄電装置の概略構成を示すブロック図
【図５】本発明の実施の形態５に係る蓄電装置の概略構成を示すブロック図
【図６】従来の蓄電装置の概略構成を示すブロック図
【符号の説明】
【００２８】
１００  導電性筐体
１０１  絶縁膜
１０２  蓄電池
１０３  ＋極
１０４  −極
１０５、１０６  配線
１０７、２０２、３０２、４００  帯電物
２００、３００  ダイオード
５００  コンデンサ
５０１、５０２  抵抗
【図１】
2006081298.tif 000003
【図２】
2006081298.tif 000004
【図３】
2006081298.tif 000005
【図４】
2006081298.tif 000006
【図５】
2006081298.tif 000007
【図６】
2006081298.tif 000008